【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
前記基地局によって、共有スペクトルに関するクリアチャネルアセスメント（ＣＣＡ）を実行する前記基地局の第１の事業者のための機会を識別することと、前記機会が、前記共有スペクトルに関連する少なくとも１つの他の事業者に対する前記第１の事業者の優先度に基づく、
送信間隔の間の送信に前記共有スペクトルが利用可能であるかどうかを決定するために、前記識別される機会の間に、前記基地局によって、前記共有スペクトルに関する前記ＣＣＡを実行することと
を備える方法。
【請求項２】
前記送信間隔は、フレームまたはサブフレームを備え、前記第１の事業者および前記少なくとも１つの他の事業者は、フレームタイミングまたはサブフレームタイミングに対して同期され、前記第１の事業者および前記少なくとも１つの他の事業者は、前記共有スペクトルに関する同じフレーム構造またはサブフレーム構造を利用する、請求項１に記載の方法。
【請求項３】
前記送信間隔は、フレームまたはサブフレームを備え、前記第１の事業者および前記少なくとも１つの他の事業者は、フレームタイミングまたはサブフレームタイミングに対して同期され、前記第１の事業者および前記少なくとも１つの他の事業者は、前記共有スペクトルに関する２つ以上の異なるフレーム構造またはサブフレーム構造を利用する、請求項１に記載の方法。
【請求項４】
前記共有スペクトルに関する前記ＣＣＡを実行する前記第１の事業者のための前記機会を識別することは、
サブフレームにおけるＣＣＡスロットのサブセットから前記第１の事業者のためのＣＣＡスロットを識別すること
を備え、ＣＣＡスロットの前記サブセットが、前記少なくとも１つの他の事業者に対する前記第１の事業者の前記優先度に基づく、請求項１に記載の方法。
【請求項５】
前記第１の事業者の前記優先度が前記少なくとも１つの他の事業者の優先度よりも高いときに、前記第１の事業者のための前記ＣＣＡスロットは、前記少なくとも１つの他の事業者のためのＣＣＡスロットよりも、前記サブフレームにおいて早い、請求項４に記載の方法。
【請求項６】
前記少なくとも１つの他の事業者に対する前記第１の事業者の前記優先度は、前記少なくとも１つの他の事業者に対する、前記サブフレームの間にＣＣＡを実行することの制限
を備える、請求項４に記載の方法。
【請求項７】
前記基地局によって、および前記少なくとも１つの他の事業者に対する前記第１の事業者の前記優先度に基づいて、前記共有スペクトルの前記送信間隔の間に前記ＣＣＡを実行する前記第１の事業者のために識別される前記ＣＣＡスロットが、前記第１の事業者によって前記ＣＣＡを実行する場合に無効であると決定すること
をさらに備える、請求項４に記載の方法。
【請求項８】
前記共有スペクトルに関する前記ＣＣＡを実行する前記第１の事業者のための前記機会を識別することは、
サブフレームにおけるＣＣＡスロットのサブセットの中から前記第１の事業者のためのＣＣＡスロットの数を識別すること
を備え、ＣＣＡスロットの前記数が、前記少なくとも１つの他の事業者に対する前記第１の事業者の前記優先度に基づく、請求項１に記載の方法。
【請求項９】
前記第１の事業者の前記優先度が前記少なくとも１つの他の事業者の優先度よりも高い場合に、前記サブフレームにおける前記第１の事業者に配分されるＣＣＡスロットの前記数は、前記サブフレームにおける前記少なくとも１つの他の事業者に配分されるＣＣＡスロットの数よりも大きい、請求項８に記載の方法。
【請求項１０】
前記基地局によって、および前記少なくとも１つの他の事業者に対する前記第１の事業者の前記優先度に基づいて、前記第１の事業者が少なくとも１つの送信間隔の間、前記共有スペクトル上で送信することを制限されると決定すること
をさらに備える、請求項１に記載の方法。
【請求項１１】
前記基地局によって、前記第１の事業者のフレーム構造が、前記第１の事業者が少なくとも１つの送信間隔の間、前記共有スペクトル上で送信することを制限すると決定すること
をさらに備える、請求項１に記載の方法。
【請求項１２】
前記第１の事業者の前記優先度が前記少なくとも１つの他の事業者の優先度よりも低いときに、前記第１の事業者の前記フレーム構造は、前記少なくとも１つの他の事業者のための沈黙期間よりも長い沈黙期間を備える、請求項１１に記載の方法。
【請求項１３】
前記共有スペクトルに関する前記ＣＣＡを実行する前記第１の事業者のための前記機会は、２つ以上の時間期間を占有する２つ以上のＣＣＡスロットの中から識別される、請求項１に記載の方法。
【請求項１４】
前記共有スペクトルに関する前記ＣＣＡを実行する前記第１の事業者のための前記機会は、２つ以上の周波数トーンを占有する２つ以上のＣＣＡスロットの中から識別される、請求項１に記載の方法。
【請求項１５】
前記少なくとも１つの他の事業者に対する前記第１の事業者の前記優先度は、キャリアに割り当てられた特定のスペクトルに固有のものである、請求項１に記載の方法。
【請求項１６】
前記共有スペクトルは無認可スペクトルを備える、請求項１に記載の方法。
【請求項１７】
前記共有スペクトルに関する前記ＣＣＡを実行する前記第１の事業者のための前記機会は、前記共有スペクトルの第１のキャリアに関する前記ＣＣＡを実行する前記第１の事業者のための機会であり、前記方法は、
前記基地局によって、前記共有スペクトルの第２のキャリアに関するＣＣＡを実行する前記第１の事業者のための第２の機会を識別することと、前記第２の機会が、前記少なくとも１つの他の事業者に対する前記第１の事業者の前記優先度に基づく、
前記送信間隔の間の送信に前記共有スペクトルの前記第２のキャリアが利用可能であるかどうかを決定するために、前記識別される第２の機会の間に、前記基地局によって、前記共有スペクトルの前記第２のキャリアに関する前記ＣＣＡを実行することと
をさらに備える、請求項１に記載の方法。
【請求項１８】
前記共有スペクトルに関する前記ＣＣＡを実行する前記第１の事業者のための前記機会は、前記共有スペクトルの第１のキャリアに関する前記ＣＣＡを実行する前記第１の事業者のための機会であり、前記共有スペクトルに関連する前記少なくとも１つの他の事業者に対する前記第１の事業者の前記優先度は、第１の優先度を備え、前記方法は、
前記基地局によって、前記共有スペクトルの第２のキャリアに関するＣＣＡを実行する前記第１の事業者のための第２の機会を識別することと、前記第２の機会が、前記共有スペクトルに関連する前記少なくとも１つの他の事業者に対する前記第１の事業者の第２の優先度に基づき、ここにおいて、前記第２の優先度が前記第１の優先度とは異なる、
前記送信間隔の間の送信に前記共有スペクトルの前記第２のキャリアが利用可能であるかどうかを決定するために、前記識別される第２の機会の間に、前記基地局によって、前記共有スペクトルの前記第２のキャリアに関する前記ＣＣＡを実行することと
をさらに備える、請求項１に記載の方法。
【請求項１９】
前記ＣＣＡは、ダウンリンクまたはアップリンクのうちの少なくとも１つで実行される、請求項１に記載の方法。
【請求項２０】
前記少なくとも１つの他の事業者に対する前記第１の事業者の前記優先度は、ダウンリンクもしくはアップリンクのうちの１つに固有のものであるか、または前記ダウンリンクと前記アップリンクの両方に適用する、請求項１に記載の方法。
【請求項２１】
ワイヤレス通信のための装置であって、
共有スペクトルに関するクリアチャネルアセスメント（ＣＣＡ）を実行する基地局の第１の事業者のための機会を識別するための手段と、前記機会が、前記共有スペクトルに関連する少なくとも１つの他の事業者に対する前記第１の事業者の優先度に基づく、
送信間隔の間の送信に前記共有スペクトルが利用可能であるかどうかを決定するために、前記識別される機会の間に、前記共有スペクトルに関する前記ＣＣＡを実行するための手段と
を備える装置。
【請求項２２】
ワイヤレス通信のための装置であって、
プロセッサと、
前記プロセッサと電子通信しているメモリと
を備え、前記メモリは、前記プロセッサによって、
共有スペクトルに関するクリアチャネルアセスメント（ＣＣＡ）を実行する基地局の第１の事業者のための機会を識別することと、前記機会が、前記共有スペクトルに関連する少なくとも１つの他の事業者に対する前記第１の事業者の優先度に基づく、
送信間隔の間の送信に前記共有スペクトルが利用可能であるかどうかを決定するために、前記識別される機会の間に、前記共有スペクトルに関する前記ＣＣＡを実行することと
を行うように実行可能な命令を記憶する、装置。
【請求項２３】
前記送信間隔は、フレームまたはサブフレームを備え、前記第１の事業者および前記少なくとも１つの他の事業者は、フレームタイミングまたはサブフレームタイミングに対して同期され、前記第１の事業者および前記少なくとも１つの他の事業者は、前記共有スペクトルに関する同じフレーム構造またはサブフレーム構造を利用する、請求項２２に記載の装置。
【請求項２４】
前記送信間隔は、フレームまたはサブフレームを備え、前記第１の事業者および前記少なくとも１つの他の事業者は、フレームタイミングまたはサブフレームタイミングに対して同期され、前記第１の事業者および前記少なくとも１つの他の事業者は、前記共有スペクトルに関する２つ以上の異なるフレーム構造またはサブフレーム構造を利用する、請求項２２に記載の装置。
【請求項２５】
前記命令は、前記プロセッサによって、
サブフレームにおけるＣＣＡスロットのサブセットから前記第１の事業者のためのＣＣＡスロットを識別する
ようにさらに実行可能であり、ＣＣＡスロットの前記サブセットが、前記少なくとも１つの他の事業者に対する前記第１の事業者の前記優先度に基づく、請求項２２に記載の装置。
【請求項２６】
前記第１の事業者の前記優先度が前記少なくとも１つの他の事業者の優先度よりも高いときに、前記第１の事業者のための前記ＣＣＡスロットは、前記少なくとも１つの他の事業者のためのＣＣＡスロットよりも、前記サブフレームにおいて早い、請求項２５に記載の装置。
【請求項２７】
前記命令は、前記プロセッサによって、
前記少なくとも１つの他の事業者に対する前記第１の事業者の前記優先度に基づいて、前記共有スペクトルの前記送信間隔の間に前記ＣＣＡを実行する前記第１の事業者のために識別される前記ＣＣＡスロットが、前記第１の事業者によって前記ＣＣＡを実行する場合に無効であると決定する
ようにさらに実行可能である、請求項２５に記載の装置。
【請求項２８】
前記共有スペクトルに関する前記ＣＣＡを実行する前記第１の事業者のための前記機会を識別するように前記プロセッサによって実行可能である前記命令は、前記プロセッサによって、
サブフレームにおけるＣＣＡスロットのサブセットの中から前記第１の事業者のためのＣＣＡスロットの数を識別する
ように実行可能な命令を備え、ＣＣＡスロットの前記数が、前記少なくとも１つの他の事業者に対する前記第１の事業者の前記優先度に基づく、請求項２２に記載の装置。
【請求項２９】
命令を記憶する非一時的コンピュータ可読媒体であって、前記命令は、プロセッサによって実行されると、
共有スペクトルに関するクリアチャネルアセスメント（ＣＣＡ）を実行する基地局の第１の事業者のための機会を識別することと、前記機会が、前記共有スペクトルに関連する少なくとも１つの他の事業者に対する前記第１の事業者の優先度に基づく、
送信間隔の間の送信に前記共有スペクトルが利用可能であるかどうかを決定するために、前記識別される機会の間に、前記共有スペクトルに関する前記ＣＣＡを実行することと
を前記基地局に行わせる、非一時的コンピュータ可読媒体。
【手続補正２】
【補正対象書類名】明細書
【補正対象項目名】０２２２
【補正方法】変更
【補正の内容】
【０２２２】
[0240]本開示の前述の説明は、当業者が本開示を実施または使用することができるように与えたものである。本開示への様々な変更は当業者には容易に明らかであり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示した原理および新規の特徴に一致する最も広い範囲を与えられるべきである。
以下に、本願出願の当初の特許請求の範囲に記載された発明を付記する。
［Ｃ１］
ワイヤレス通信のための方法であって、
共有スペクトルに関するクリアチャネルアセスメント（ＣＣＡ）を実行する第１の事業者のための機会を識別することと、前記機会が、前記共有スペクトルに関連する少なくとも１つの他の事業者に対する前記第１の事業者の優先度に基づく、
送信間隔の間の送信に前記共有スペクトルが利用可能であるかどうかを決定するために、前記識別される機会の間に、前記共有スペクトルに関する前記ＣＣＡを実行することと
を備える方法。
［Ｃ２］
前記送信間隔は、フレームまたはサブフレームを備え、前記第１の事業者および前記少なくとも１つの他の事業者は、フレームタイミングまたはサブフレームタイミングに対して同期され、前記第１の事業者および前記少なくとも１つの他の事業者は、前記共有スペクトルに関する同じフレーム構造またはサブフレーム構造を利用する、Ｃ１に記載の方法。
［Ｃ３］
前記送信間隔は、フレームまたはサブフレームを備え、前記第１の事業者および前記少なくとも１つの他の事業者は、フレームタイミングまたはサブフレームタイミングに対して同期され、前記第１の事業者および前記少なくとも１つの他の事業者は、前記共有スペクトルに関する２つ以上の異なるフレーム構造またはサブフレーム構造を利用する、Ｃ１に記載の方法。
［Ｃ４］
前記共有スペクトルに関する前記ＣＣＡを実行する前記第１の事業者のための前記機会を識別することは、
サブフレームにおけるＣＣＡスロットのサブセットから前記第１の事業者のためのＣＣＡスロットを識別すること
を備え、ＣＣＡスロットの前記サブセットが、前記少なくとも１つの他の事業者に対する前記第１の事業者の前記優先度に基づく、Ｃ１に記載の方法。
［Ｃ５］
前記第１の事業者の前記優先度が前記少なくとも１つの他の事業者の優先度よりも高いときに、前記第１の事業者のための前記ＣＣＡスロットは、前記少なくとも１つの他の事業者のためのＣＣＡスロットよりも、前記サブフレームにおいて早い、Ｃ４に記載の方法。
［Ｃ６］
前記少なくとも１つの他の事業者に対する前記第１の事業者の前記優先度は、前記少なくとも１つの他の事業者に対する、前記サブフレームの間にＣＣＡを実行することの制限
を備える、Ｃ４に記載の方法。
［Ｃ７］
前記少なくとも１つの他の事業者に対する前記第１の事業者の前記優先度に基づいて、前記共有スペクトルの送信間隔の間ＣＣＡを実行する前記第１の事業者のために識別されるＣＣＡスロットが、前記第１の事業者によって前記ＣＣＡを実行する場合に無効であると決定すること
をさらに備える、Ｃ４に記載の方法。
［Ｃ８］
前記共有スペクトルに関する前記ＣＣＡを実行する前記第１の事業者のための前記機会を識別することは、
サブフレームにおけるＣＣＡスロットのサブセットの中から前記第１の事業者のためのＣＣＡスロットの数を識別すること
を備え、ＣＣＡスロットの前記数が、前記少なくとも１つの他の事業者に対する前記第１の事業者の前記優先度に基づく、Ｃ１に記載の方法。
［Ｃ９］
前記第１の事業者の前記優先度が前記少なくとも１つの他の事業者の優先度よりも高い場合に、前記サブフレームにおける前記第１の事業者に配分されるＣＣＡスロットの前記数は、前記サブフレームにおける前記少なくとも１つの他の事業者に配分されるＣＣＡスロットの数よりも大きい、Ｃ８に記載の方法。
［Ｃ１０］
前記少なくとも１つの他の事業者に対する前記第１の事業者の前記優先度に基づいて、前記第１の事業者が少なくとも１つの送信間隔の間、前記共有スペクトル上で送信することを制限されると決定すること
をさらに備える、Ｃ１に記載の方法。
［Ｃ１１］
前記第１の事業者のフレーム構造が、前記第１の事業者が少なくとも１つの送信間隔の間、前記共有スペクトル上で送信することを制限すると決定すること
をさらに備える、Ｃ１に記載の方法。
［Ｃ１２］
前記第１の事業者の前記優先度が前記少なくとも１つの他の事業者の優先度よりも低いときに、前記第１の事業者の前記フレーム構造は、前記少なくとも１つの他の事業者のための沈黙期間よりも長い沈黙期間を備える、Ｃ１１に記載の方法。
［Ｃ１３］
前記共有スペクトルに関するＣＣＡを実行する前記第１の事業者のための前記機会は、２つ以上の時間期間を占有する２つ以上のＣＣＡスロットの中から識別される、Ｃ１に記載の方法。
［Ｃ１４］
前記共有スペクトルに関する前記ＣＣＡを実行する前記第１の事業者のための前記機会は、２つ以上の周波数トーンを占有する２つ以上のＣＣＡスロットの中から識別される、Ｃ１に記載の方法。
［Ｃ１５］
前記少なくとも１つの他の事業者に対する前記第１の事業者の前記優先度は、キャリアに割り当てられた特定のスペクトルに固有のものである、Ｃ１に記載の方法。
［Ｃ１６］
前記共有スペクトルは無認可スペクトルを備える、Ｃ１に記載の方法。
［Ｃ１７］
前記共有スペクトルに関する前記ＣＣＡを実行する前記第１の事業者のための前記機会は、前記共有スペクトルの第１のキャリアに関する前記ＣＣＡを実行する前記第１の事業者のための機会であり、前記方法は、
前記共有スペクトルの第２のキャリアに関するＣＣＡを実行する前記第１の事業者のための第２の機会を識別することと、前記第２の機会が、前記少なくとも１つの他の事業者に対する前記第１の事業者の前記優先度に基づく、
前記送信間隔の間の送信に前記共有スペクトルの前記第２のキャリアが利用可能であるかどうかを決定するために、前記識別される第２の機会の間に、前記共有スペクトルの前記第２のキャリアに関する前記ＣＣＡを実行することと
をさらに備える、Ｃ１に記載の方法。
［Ｃ１８］
前記共有スペクトルに関する前記ＣＣＡを実行する前記第１の事業者のための前記機会は、前記共有スペクトルの第１のキャリアに関する前記ＣＣＡを実行する前記第１の事業者のための機会であり、前記共有スペクトルに関連する前記少なくとも１つの他の事業者に対する前記第１の事業者の前記優先度は、第１の優先度を備え、前記方法は、
前記共有スペクトルの第２のキャリアに関するＣＣＡを実行する前記第１の事業者のための第２の機会を識別することと、前記第２の機会が、前記共有スペクトルに関連する前記少なくとも１つの他の事業者に対する前記第１の事業者の第２の優先度に基づき、ここにおいて、前記第２の優先度が前記第１の優先度とは異なる、
前記送信間隔の間の送信に前記共有スペクトルの前記第２のキャリアが利用可能であるかどうかを決定するために、前記識別される第２の機会の間に、前記共有スペクトルの前記第２のキャリアに関する前記ＣＣＡを実行することと
をさらに備える、Ｃ１に記載の方法。
［Ｃ１９］
前記ＣＣＡは、基地局またはユーザ機器（ＵＥ）のうちの少なくとも１つによって実行される、Ｃ１に記載の方法。
［Ｃ２０］
前記ＣＣＡは、ダウンリンクまたはアップリンクのうちの少なくとも１つで実行される、Ｃ１に記載の方法。
［Ｃ２１］
前記少なくとも１つの他の事業者に対する前記第１の事業者の前記優先度は、ダウンリンクもしくはアップリンクのうちの１つに固有のものであるか、またはダウンリンクとアップリンクの両方に適用する、Ｃ１に記載の方法。
［Ｃ２２］
ワイヤレス通信のための装置であって、
共有スペクトルに関するクリアチャネルアセスメント（ＣＣＡ）を実行する第１の事業者のための機会を識別するための手段と、前記機会が、前記共有スペクトルに関連する少なくとも１つの他の事業者に対する前記第１の事業者の優先度に基づく、
送信間隔の間の送信に前記共有スペクトルが利用可能であるかどうかを決定するために、前記識別される機会の間に、前記共有スペクトルに関する前記ＣＣＡを実行するための手段と
を備える装置。
［Ｃ２３］
ワイヤレス通信のための装置であって、
プロセッサと、
前記プロセッサに結合されたメモリと
を備え、前記プロセッサは、
共有スペクトルに関するクリアチャネルアセスメント（ＣＣＡ）を実行する第１の事業者のための機会を識別することと、前記機会が、前記共有スペクトルに関連する少なくとも１つの他の事業者に対する前記第１の事業者の優先度に基づく、
送信間隔の間の送信に前記共有スペクトルが利用可能であるかどうかを決定するために、前記識別される機会の間に、前記共有スペクトルに関する前記ＣＣＡを実行することと
を行うように構成される、装置。
［Ｃ２４］
前記送信間隔は、フレームまたはサブフレームを備え、前記第１の事業者および前記少なくとも１つの他の事業者は、フレームタイミングまたはサブフレームタイミングに対して同期され、前記第１の事業者および前記少なくとも１つの他の事業者は、前記共有スペクトルに関する同じフレーム構造またはサブフレーム構造を利用する、Ｃ２３に記載の装置。
［Ｃ２５］
前記送信間隔は、フレームまたはサブフレームを備え、前記第１の事業者および前記少なくとも１つの他の事業者は、フレームタイミングまたはサブフレームタイミングに対して同期され、前記第１の事業者および前記少なくとも１つの他の事業者は、前記共有スペクトルに関する２つ以上の異なるフレーム構造またはサブフレーム構造を利用する、Ｃ２３に記載の装置。
［Ｃ２６］
前記プロセッサは、
サブフレームにおけるＣＣＡスロットのサブセットから前記第１の事業者のためのＣＣＡスロットを識別する
ようにさらに構成され、ＣＣＡスロットの前記サブセットが、前記少なくとも１つの他の事業者に対する前記第１の事業者の前記優先度に基づく、Ｃ２３に記載の装置。
［Ｃ２７］
前記第１の事業者の前記優先度が前記少なくとも１つの他の事業者の優先度よりも高いときに、前記第１の事業者のための前記ＣＣＡスロットは、前記少なくとも１つの他の事業者のためのＣＣＡスロットよりも、前記サブフレームにおいて早い、Ｃ２６に記載の装置。
［Ｃ２８］
前記プロセッサは、
前記少なくとも１つの他の事業者に対する前記第１の事業者の前記優先度に基づいて、前記共有スペクトルの送信間隔の間ＣＣＡを実行する前記第１の事業者のために識別されるＣＣＡスロットが、前記第１の事業者によって前記ＣＣＡを実行する場合に無効であると決定する
ようにさらに構成される、Ｃ２６に記載の装置。
［Ｃ２９］
前記共有スペクトルに関する前記ＣＣＡを実行する前記第１の事業者のための前記機会を識別するようにさらに構成される前記プロセッサは、
サブフレームにおけるＣＣＡスロットのサブセットの中から前記第１の事業者のためのＣＣＡスロットの数を識別する
ようにさらに構成された前記プロセッサを備え、ＣＣＡスロットの前記数が、前記少なくとも１つの他の事業者に対する前記第１の事業者の前記優先度に基づく、Ｃ２３に記載の装置。
［Ｃ３０］
プロセッサによって実行可能な命令を記憶するための非一時的コンピュータ可読媒体であって、
共有スペクトルに関するクリアチャネルアセスメント（ＣＣＡ）を実行する第１の事業者のための機会を識別するための命令と、前記機会が、前記共有スペクトルに関連する少なくとも１つの他の事業者に対する前記第１の事業者の優先度に基づく、
送信間隔の間の送信に前記共有スペクトルが利用可能であるかどうかを決定するために、前記識別される機会の間に、前記共有スペクトルに関する前記ＣＣＡを実行するための命令と
を備える、非一時的コンピュータ可読媒体。